(57)【要約】  光ファイバーアダプターであって、嵌合保持器と、この嵌合保持器内に受け入れられるアラインメントスリーブであって、光ファイバーコネクターのフェルールがその光ファイバーアダプターの挿入口の中を通してこのアラインメントスリーブの中に挿入されるようになっているアラインメントスリーブと、嵌合保持器に対して相対的に、アラインメントスリーブの円周角を予め決められた円周角に調整するように、且つ、嵌合保持器に対して相対的に、予め決められた円周角にアラインメントスリーブを保持するように構成されている調整要素を含む。この調整要素は、嵌合保持器に対して相対的に、アラインメントスリーブの円周角を、例えば、結合されたコネクターのファイバー挿入損失が最小である予め決められた円周角に調整し、且つ、アラインメントスリーブをその予め決められた円周角に保持する。この調整要素は、結合させられたコネクターの整合精度を向上させる。【選択図】図１
2018518704.tif 000002
【特許請求の範囲】
【請求項１】
光ファイバーアダプターであって、
嵌合保持器と、
前記嵌合保持器内に受け入れられるアラインメントスリーブであって、光ファイバーコネクターのフェルールがこの光ファイバーアダプターの挿入口の中を通してこのアラインメントスリーブの中に挿入されるようになっているアラインメントスリーブと、
前記嵌合保持器に対して相対的に、前記アラインメントスリーブの円周角を予め決められた円周角に調整するように、且つ、前記嵌合保持器に対して相対的に、前記予め決められた円周角に前記アラインメントスリーブを保持するように構成されている調整要素とを備える、光ファイバーアダプター。
【請求項２】
前記アラインメントスリーブが、前記嵌合保持器に対して相対的に、前記予め決められた円周角に保持されている時に、１対の光ファイバーコネクターの、前記光ファイバーアダプターの前記アラインメントスリーブの中に挿入される光ファイバーのファイバーコアの相互間のアラインメントエラーが最小である、請求項１に記載の光ファイバーアダプター。
【請求項３】
前記アラインメントスリーブが、前記嵌合保持器に対して相対的に、前記予め決められた円周角に保持されている時に、前記アラインメントスリーブ内の縦スロットが、予め決められた方向配置に位置させられている、請求項１に記載の光ファイバーアダプター。
【請求項４】
前記調整要素が前記アラインメントスリーブ上にスリーブ状に填められるようになっており、前記アラインメントスリーブが前記アラインメント要素と共に回転させられることが可能であり、且つ、前記調整要素を回転させることによって前記嵌合保持器に対して相対的に前記アラインメントスリーブの円周角が調整されることが可能であるように、半径方向突起が前記調整要素の内壁上に形成され、且つ、前記アラインメントスリーブの前記縦スロットの中に挿入されるようになっている、請求項２に記載の光ファイバーアダプター。
【請求項５】
前記調整要素の前記半径方向突起が前記アラインメントスリーブの前記縦スロットの中に挿入されている時に、前記アラインメントスリーブは、前記調整要素に対して相対的に円周方向に回転させられるように制限される、請求項４に記載の光ファイバーアダプター。
【請求項６】
前記調整要素の前記半径方向突起が前記アラインメントスリーブの前記縦スロットの中に挿入されている時に、前記アラインメントスリーブは、前記調整要素に対して相対的に、円周方向に±３０度の範囲内で回転させられるように制限される、請求項４に記載の光ファイバーアダプター。
【請求項７】
前記調整要素の前記半径方向突起が前記アラインメントスリーブの前記縦スロットの中に挿入されている時に、前記アラインメントスリーブが、前記調整要素に対して相対的に、円周方向に±２０度の範囲内で回転させられるように制限される、請求項４に記載の光ファイバーアダプター。
【請求項８】
前記調整要素の前記半径方向突起が前記アラインメントスリーブの前記縦スロットの中に挿入されている時に、前記アラインメントスリーブが、前記調整要素に対して相対的に円周方向に±１０度の範囲内で回転させられるように制限される、請求項４に記載の光ファイバーアダプター。
【請求項９】
前記調整要素は、多角形の横断面を有する多角形角柱として形成され、
前記調整要素の外側輪郭に対応する位置決めスロットが、前記嵌合保持器の中に形成されており、
前記調整要素は、前記嵌合保持器に対して相対的に、予め決められた円周角に前記アラインメントスリーブを保持するように、前記嵌合保持器の前記位置決めスロット内に固定されるようになっている、請求項４に記載の光ファイバーアダプター。
【請求項１０】
前記調整要素は複数のスプラインキーを有する形に形成されており、前記嵌合保持器は複数のスプラインスロットを有する形に形成されており、
前記調整要素の前記複数のスプラインキーは、前記嵌合保持器に対して相対的に、前記予め決められた円周角に前記アラインメントスリーブを保持するように、前記嵌合保持器の前記複数のスプラインスロットの中に嵌め込まれるようになっている、請求項４に記載の光ファイバーアダプター。
【請求項１１】
第１の円周角標識が前記調整要素の外側表面上に備えられており、第２の円周角標識が前記嵌合保持器上に備えられており、
前記アラインメントスリーブが前記調整要素によって前記予め決められた円周角に調整される時に、前記調整要素の前記第１の円周角標識が前記嵌合保持器の前記第２の円周角標識に整合させられる、請求項９に記載の光ファイバーアダプター。
【請求項１２】
さらに、前記嵌合保持器が中に取り付けられているハウジングを備え、
前記光ファイバーコネクター上の滑動ブロックに嵌合するように構成されているアラインメントスロットが、前記光ファイバーアダプターに対して相対的に、適正な方向配置の形で前記光ファイバーコネクターが前記光ファイバーアダプターの中に挿入されることを確実なものにするように、前記ハウジング内に形成されている、請求項１１に記載の光ファイバーアダプター。
【請求項１３】
前記調整要素によって前記アラインメントスリーブが前記予め決められた円周角に調整される時に、前記第１の円周角標識と前記第２の円周角標識とが前記ハウジングの前記アラインメントスロットに整合させられる請求項１２に記載の光ファイバーアダプター。
【請求項１４】
前記嵌合保持器の前記第２の円周角標識は、前記嵌合保持器内に形成されているノッチを備え、
前記嵌合保持器の前記ノッチに嵌合するように構成されているフールプルーフアセンブリ突起が、前記ハウジングの内側壁上に形成されており、
前記ハウジングの前記フールプルーフアセンブリ突起が前記嵌合保持器の前記ノッチに整合させられる時にだけ、前記嵌合保持器が前記ハウジングの中にアセンブリされる、請求項１３に記載の光ファイバーアダプター。
【請求項１５】
前記嵌合保持器が前記ハウジングから引き出されることを防止するように、前記ハウジング上に取り付けられ且つ前記嵌合保持器の管状本体を保持するようになっている固定要素をさらに備える、請求項１２に記載の光ファイバーアダプター。
【請求項１６】
前記ハウジング上に取り付けられており且つ固定設置位置に前記光ファイバーアダプターを固定するように構成されている弾性スナップ留め装置をさらに備える、請求項１２に記載の光ファイバーアダプター。
【請求項１７】
前記嵌合保持器は、互いに一体状にアセンブリされることが可能である第１の嵌合保持器と第２の嵌合保持器とを備える、請求項９に記載の光ファイバーアダプター。
【請求項１８】
前記位置決めスロットは、前記第１の嵌合保持器の嵌合端部内と第２の前記嵌合保持器の嵌合端部内とにそれぞれに形成されている、互いに整合させられている第１の位置決めスロットと第２の位置決めスロットとを備える、請求項１７に記載の光ファイバーアダプター。
【請求項１９】
前記第２の円周角標識は、前記第１の嵌合保持器の嵌合端部内と前記第２の嵌合保持器の嵌合端部内との中にそれぞれに形成されている、互いに整合させられている第１のノッチと第２のノッチとを備える、請求項１８に記載の光ファイバーアダプター。
【請求項２０】
前記光ファイバーアダプターは、同時に１つ又は複数の対の光ファイバーコネクターに相互連結するようになっており、
１つ又は複数の対の光ファイバーコネクターのフェルールを整合させるように構成されている１つ又は複数のアラインメントスリーブが、前記嵌合保持器の中に受け入れられる、請求項１に記載の光ファイバーアダプター。
【請求項２１】
アラインメントスリーブアセンブリにおいて、
光ファイバーアダプターの嵌合保持器内に受け入れられるようになっているアラインメントスリーブと、
前記嵌合保持器に対して相対的に、前記アラインメントスリーブの円周角を予め決められた円周角に調整し、且つ、前記アラインメントスリーブを、前記嵌合保持器に対して相対的に、予め決められた角度に保持するように構成されている調整要素とを備えるアラインメントスリーブアセンブリ。
【請求項２２】
前記調整要素が前記アラインメントスリーブ上にスリーブ状に填められるようになっており、前記アラインメントスリーブがアラインメント要素と共に回転することが可能であり、且つ、前記調整要素を回転させることによって前記嵌合保持器に対する相対的な前記アラインメントスリーブの円周角が調整されることが可能であるように、半径方向突起が前記調整要素の内側壁上に形成されており、且つ、前記アラインメントスリーブの前記縦スロットの中に挿入されるようになっている、請求項２１に記載のアラインメントスリーブアセンブリ。
【請求項２３】
前記調整要素の前記半径方向突起が前記アラインメントスリーブの前記縦スロットの中に挿入されている時に、前記アラインメントスリーブは、前記調整要素に対して相対的に、円周方向に回転させられるように制限される、請求項２２に記載のアラインメントスリーブアセンブリ。
【請求項２４】
前記調整要素の前記半径方向突起が前記アラインメントスリーブの前記縦スロットの中に挿入されている時に、前記アラインメントスリーブは、前記調整要素に対して相対的に、円周方向に±３０度の範囲内で回転させられるように制限される、請求項２２に記載のアラインメントスリーブアセンブリ。
【請求項２５】
前記調整要素の前記半径方向突起が前記アラインメントスリーブの前記縦スロットの中に挿入されている時に、前記アラインメントスリーブは、前記調整要素に対して相対的に、円周方向に±２０度の範囲内で回転させられるように制限される、請求項２２に記載のアラインメントスリーブアセンブリ。
【請求項２６】
前記調整要素の前記半径方向突起が前記アラインメントスリーブの前記縦スロットの中に挿入されている時に、前記アラインメントスリーブは、前記調整要素に対して相対的に、円周方向に±１０度の範囲内で回転させられるように制限される、請求項２２に記載のアラインメントスリーブアセンブリ。
【請求項２７】
前記調整要素は、多角形の横断面を有する多角形角柱として形成されている、請求項２３に記載のアラインメントスリーブアセンブリ。
【請求項２８】
前記嵌合保持器に対する相対的な、前記アラインメントスリーブの前記予め決められた円周角を識別するように構成されている第１の円周角標識が、前記調整要素の外側表面上に備えられている、請求項２７に記載のアラインメントスリーブアセンブリ。
【発明の詳細な説明】
【技術分野】
【０００１】
本発明は、アラインメントスリーブアセンブリ（ａｌｉｇｎｍｅｎｔ  ｓｌｅｅｖｅ  ａｓｓｅｍｂｌｙ）と、このアラインメントスリーブアセンブリを備える光ファイバーアダプターとに関する。
【背景技術】
【０００２】
従来技術においては、光ファイバーアダプター（例えば、説明を容易にするために、本明細書では、単一ファイバーＳＣアダプター）が、一般的に、アラインメントスリーブと、その嵌合保持器（ｍａｔｉｎｇ  ｒｅｔａｉｎｅｒ）内にアラインメントスリーブを受け入れるための且つ１対の結合した光ファイバーコネクターを固定するための嵌合保持器と、ハウジングと、バックルタイプの固定クランプばねと、ワランティバックル（ｗａｒｒａｎｔｙ  ｂｕｃｋｌｅ）（随意）とを備える。
【０００３】
従来技術においては、アラインメントスリーブにおける機械加工エラーがあり、例えば、アラインメントスリーブの内側壁の真円度が不十分であり、及び、アラインメントスリーブの壁厚さが不均一である。この結果として、１対の光ファイバーコネクターのフェルールが、アラインメントスリーブの反対側の端部から光ファイバーアダプターのアラインメントスリーブの中に挿入されて互いに結合させられる時に、結合されたコネクターのファイバーコアの相互間の接続損失を生じさせるアラインメントエラーに加えて、アラインメントスリーブが、さらに、特定のアラインメントエラーを生じさせ、及び、このアラインメントエラーは、さらに、接続損失を増大させるか、又は、接続損失の不確実性を増大させる。個々のアラインメントスリーブの場合に、アラインメントスリーブが特定の円周角に位置している時にだけ、そのアラインメントスリーブによって生じさせられる接続損失が最小である。
【０００４】
従来技術においては、バッチ製造の場合に、最小の接続損失に対応する各々の個別的なアラインメントスリーブの特有の円周角が互いに異なっている傾向がある。さらに、アラインメントスリーブは円周方向に位置決め又は固定されることがなく、及び、アラインメントスリーブはランダムに回転することがある。したがって、アラインメントスリーブを特定の円周角に位置決めすることによって接続損失を最小化することが、既存の設計によっては、認知されておらず、及び、依然として適切には利用されていない。
【０００５】
従来技術の光ファイバーアダプターに関しては、アラインメントスリーブは、円周方向に沿って嵌合保持器内で自由に回転し、及び、互いに直角である３つの方向における特定の自由度を有することがある。アラインメントスリーブが特定の公差を有するので、結合したコネクターの接続損失が特定の極性を有する。即ち、アラインメントスリーブが特定の円周角に位置させられている時にだけ、結合されたコネクターは最小の挿入損失を実現しうる。しかし、従来技術では、アラインメントスリーブはランダムに回転させられることがある。このために、光ファイバー相互接続システム全体の挿入損失が、最小損失状態に必ずしも常に保たれるわけではない。言い換えると、アラインメントスリーブの円周角のランダム性が、光ファイバー相互接続システムの挿入損失合計に悪影響を与える。こうした状況は、将来における光ファイバー相互接続システムの極度に低い挿入損失に関する厳格な必要条件と、光ファイバーコネクターが結合解除された後の極度に低い挿入損失の反復性に関する必要条件とを満たさない。
【発明の概要】
【発明が解決しようとする課題】
【０００６】
本発明は、上述した欠点の少なくとも１つの側面を克服又は改善するために行われた。
【課題を解決するための手段】
【０００７】
本発明の１つの目的にしたがって、アラインメントスリーブアセンブリと、このアラインメントスリーブアセンブリを備える光ファイバーアダプターとが提供され、及び、このアラインメントスリーブアセンブリ内では、アラインメントスリーブは、光ファイバーの挿入損失が最小である、嵌合保持器に対して相対的に、予め決められた円周角に調整されて固定することができる。このようにして、本発明は、１対の結合した光ファイバーコネクターのアラインメント精度を向上させる。
【０００８】
本発明の一態様では、光ファイバーアダプターが提供され、この光ファイバーアダプターは、嵌合保持器と、この嵌合保持器内に受け入れられるアラインメントスリーブであって、光ファイバーコネクターのフェルールが光ファイバーアダプターの挿入口の中を通してこのアラインメントスリーブの中に挿入されるようになっているアラインメントスリーブと、嵌合保持器に対するアラインメントスリーブの円周角を予め決められた円周角に調整するように、且つ、嵌合保持器に対して相対的に、予め決められた円周角にアラインメントスリーブを保持するように構成されている調整要素とを備える。
【０００９】
本発明の例示的な実施態様では、アラインメントスリーブが、嵌合保持器に対して相対的に、予め決められた円周角に保持されている時に、１対の光ファイバーコネクターの光ファイバーアダプターのアラインメントスリーブの中に挿入される、光ファイバーのファイバーコアの相互間のアラインメントエラーが最小である。
【００１０】
本発明の別の例示的な実施態様では、アラインメントスリーブが、嵌合保持器に対して相対的に、予め決められた円周角に保持されている時に、アラインメントスリーブ内の縦スロットが、予め決められた方向配置に位置させられている。
【００１１】
本発明の別の例示的な実施態様では、調整要素がアラインメントスリーブ上にスリーブ状に填められるようになっており、及び、アラインメントスリーブがアラインメント要素と共に回転させられることが可能であり、且つ、調整要素を回転させることによって嵌合保持器に対して相対的にアラインメントスリーブの円周角が調整されることが可能であるように、半径方向突起が調整要素の内壁上に形成されており、且つ、アラインメントスリーブの縦スロットの中に挿入されるようになっている。
【００１２】
本発明の別の例示的な実施態様では、調整要素の半径方向突起がアラインメントスリーブの縦スロットの中に挿入されている時に、アラインメントスリーブが、調整要素に対して相対的に円周方向に回転させられることが不可能である。
【００１３】
本発明の別の例示的な実施態様では、調整要素の半径方向突起がアラインメントスリーブの縦スロットの中に挿入されている時に、アラインメントスリーブが、調整要素に対して相対的に円周方向に±３０度の範囲内でだけ回転させられることが可能である。
【００１４】
本発明の別の例示的な実施態様では、調整要素の半径方向突起がアラインメントスリーブの縦スロットの中に挿入されている時に、アラインメントスリーブが、調整要素に対して相対的に円周方向に±２０度の範囲内でだけ回転させられることが可能である。
【００１５】
本発明の別の例示的な実施態様では、調整要素の半径方向突起がアラインメントスリーブの縦スロットの中に挿入されている時に、アラインメントスリーブが、調整要素に対して相対的に円周方向に±１０度の範囲内でだけ回転させられることが可能である。
【００１６】
本発明の別の例示的な実施態様では、調整要素は、多角形の横断面を有する多角形角柱として形成され、及び、調整要素の外側輪郭に対応する位置決めスロットが嵌合保持器内に形成されており、及び、この調整要素は、嵌合保持器に対して相対的に、予め決められた円周角にアラインメントスリーブを保持するように、嵌合保持器の位置決めスロット内に固定されるようになっている。
【００１７】
本発明の別の例示的な実施態様では、調整要素は複数のスプラインキー（ｓｐｌｉｎｅ  ｋｅｙ）を有する形に形成されており、及び、嵌合保持器は複数のスプラインスロット（ｓｐｌｉｎｅ  ｓｌｏｔ）を有する形に形成されており、及び、調整要素の複数のスプラインキーが、嵌合保持器に対して相対的に、予め決められた円周角にアラインメントスリーブを保持するように、嵌合保持器の複数のスプラインスロットの中に嵌め込まれるようになっている。
【００１８】
本発明の別の例示的な実施態様では、第１の円周角標識（ｃｉｒｃｕｍｆｅｒｅｎｔｉａｌ  ａｎｇｌｅ  ｍａｒｋ）が調整要素の外側表面上に備えられており、及び、第２の円周角標識が嵌合保持器上に備えられている。アラインメントスリーブが調整要素によって予め決められた円周角に調整される時に、調整要素の第１の円周角標識が嵌合保持器の第２の円周角標識に整合させられる。
【００１９】
本発明の別の例示的な実施態様では、光ファイバーアダプターは、さらに、嵌合保持器が中に取り付けられているハウジングを備える。光ファイバーコネクター上の滑動ブロックに嵌合するように構成されているアラインメントスロットが、光ファイバーアダプターに対して相対的に、適正な方向配置の形で光ファイバーアダプターの中に光ファイバーコネクターが挿入されることを確実なものにするように、ハウジング内に形成されている。
【００２０】
本発明の別の例示的な実施態様では、調整要素によってアラインメントスリーブが予め決められた円周角に調整される時に、第１の円周角標識と第２の円周角標識とがハウジングのアラインメントスロットに整合させられる。
【００２１】
本発明の別の例示的な実施形態では、嵌合保持器の第２の円周角標識は、嵌合保持器内に形成されているノッチを備え、及び、嵌合保持器のノッチに嵌合するように構成されているフールプルーフアセンブリ突起（ｆｏｏｌｐｒｏｏｆ  ａｓｓｅｍｂｌｙ  ｐｒｏｔｒｕｓｉｏｎ）が、ハウジングの内側壁上に形成されており、及び、ハウジングのフールプルーフアセンブリ突起が嵌合保持器のノッチに整合させられている時にだけ、嵌合保持器がハウジングの中にアセンブリされることが可能である。
【００２２】
本発明の別の例示的な実施形態では、光ファイバーアダプターは、さらに、嵌合保持器がハウジングから引き出されることを防止するように、ハウジング上に取り付けられ且つ嵌合保持器の管状本体を保持するようになっている固定要素を備える。
【００２３】
本発明の別の例示的な実施形態では、光ファイバーアダプターは、さらに、ハウジング上に取り付けられており且つ固定設置位置に光ファイバーアダプターを固定するように構成されている弾性スナップ留め装置（ｅｌａｓｔｉｃ  ｓｎａｐｐｅｒ）を備える。
【００２４】
本発明の別の例示的な実施形態では、嵌合保持器は、互いに一体状にアセンブリされることが可能である第１の嵌合保持器と第２の嵌合保持器とを備える。
【００２５】
本発明の別の例示的な実施形態では、位置決めスロットは、第１の嵌合保持器の嵌合端部内と第２の嵌合保持器の嵌合端部内とにそれぞれに形成されている、互いに整合させられている第１の位置決めスロットと第２の位置決めスロットとを備える。
【００２６】
本発明の別の例示的な実施形態では、第２の円周角標識は、第１の嵌合保持器の嵌合端部内と第２の嵌合保持器の嵌合端部内とにそれぞれに形成されている、互いに整合させられている第１のノッチと第２のノッチとを備える。
【００２７】
本発明の別の例示的な実施形態では、光ファイバーアダプターは、同時に１つ又は複数の対の光ファイバーコネクターを相互連結させるようになっており、及び、１つ又は複数の対の光ファイバーコネクターのフェルールを整合させるように構成されている１つ又は複数のアラインメントスリーブが、嵌合保持器の中に受け入れられる。
【００２８】
本発明の別の態様では、アラインメントスリーブアセンブリが提供され、このアラインメントスリーブアセンブリは、光ファイバーアダプターの嵌合保持器内に受け入れられるようになっているアラインメントスリーブと、嵌合保持器に対して相対的に、アラインメントスリーブの円周角を予め決められた円周角に調整し、且つ、嵌合保持器に対して相対的に、予め決められた角度にアラインメントスリーブを保持するように構成されている調整要素とを備える。
【００２９】
本発明の例示的な一実施形態では、調整要素はアラインメントスリーブ上にスリーブ状に填められる（ｓｌｅｅｖｅ）ようになっており、及び、半径方向突起が調整要素の内側壁上に形成されており、及び、アラインメントスリーブがアラインメント要素と共に回転させられることが可能であるようにアラインメントスリーブの縦スロットの中に挿入されるようになっており、及び、調整要素を回転させることによって、嵌合保持器に対して相対的にアラインメントスリーブの円周角が調整されることが可能である。
【００３０】
本発明の別の例示的な実施形態では、調整要素の半径方向突起がアラインメントスリーブの縦スロットの中に挿入されている時に、アラインメントスリーブは、調整要素に対して相対的に、円周方向に回転されられることが不可能である。
【００３１】
本発明の別の例示的な実施態様では、調整要素の半径方向突起がアラインメントスリーブの縦スロットの中に挿入されている時に、アラインメントスリーブは、調整要素に対して相対的に、円周方向に±３０度の範囲内だけを回転させられることが可能である。
【００３２】
本発明の別の例示的な実施態様では、調整要素の半径方向突起がアラインメントスリーブの縦スロットの中に挿入されている時に、アラインメントスリーブは、調整要素に対して相対的に、円周方向に±２０度の範囲内だけを回転させられることが可能である。
【００３３】
本発明の別の例示的な実施態様では、調整要素の半径方向突起がアラインメントスリーブの縦スロットの中に挿入されている時に、アラインメントスリーブは、調整要素に対して相対的に、円周方向に±１０度の範囲内だけを回転させられることが可能である。
【００３４】
本発明の別の例示的な実施態様では、調整要素は、多角形横断面を有する多角形角柱として形成されている。
【００３５】
本発明の別の例示的な実施態様では、嵌合保持器に対して相対的に、アラインメントスリーブの予め決められた円周角を識別するために構成されている第１の円周角標識が、調整要素の外側表面上に備えられている。
【００３６】
本発明の上述した様々な例示的な実施態様では、例えば、結合されたコネクターのファイバー挿入損失が最小である、嵌合保持器に対して相対的な、予め決められた円周角にアラインメントスリーブの円周角を調整し、且つ、アラインメントスリーブをその予め決められた円周角に保持するように、調整要素が形成されている。このようにして、この調整要素は、結合したコネクターの整合精度を向上させることができる。
【００３７】
添付図面を参照しながら本発明の例示的な実施形態を詳細に説明することによって、本発明の上記特徴と他の特徴とがより明瞭になるだろう。
【図面の簡単な説明】
【００３８】
【図１】本発明の第１の例示的な実施形態による光ファイバーアダプターの説明的な分解組立図である。
【図２】図１の光ファイバーアダプターの調整要素の説明的な斜視図である。
【図３】図１の光ファイバーアダプターのアラインメントスリーブの説明的な斜視図である。
【図４】図２の調整要素を図３のアラインメントスリーブにアセンブリすることによって形成されているアラインメントスリーブアセンブリの説明図である。
【図５】図４のアラインメントスリーブアセンブリの調整要素の外側表面上に形成されている第１の円周角標識の説明図である。
【図６】第１の嵌合保持器に対する図５のアラインメントスリーブアセンブリの取り付けの説明図である。
【図７】第１の嵌合保持器に対する図５のアラインメントスリーブアセンブリの取り付けの説明図である。
【図８】第２の嵌合保持器に対する図７の第１の嵌合保持器のアセンブリの説明図である。
【図９】第２の嵌合保持器に対する図７の第１の嵌合保持器のアセンブリの説明図である。
【図１０】ハウジングに対する図９のアセンブリされた第１及び第２の嵌合保持器の取り付けの説明図である。
【図１１】ハウジングと嵌合保持器との間のフールプルーフ設置構造を示す。
【図１２】ハウジング上の弾性スナップ留め装置の取り付けの説明図である。
【図１３】本発明の第１の説明的な実施形態による、アセンブリされた光ファイバーアダプターの例示的な斜視図である。
【図１４】アラインメントスリーブアセンブリが第１の嵌合保持器に取り付けられている、本発明の第２の例示的な実施形態による光ファイバーアダプターの説明的な斜視図である。
【図１５】第２の嵌合保持器に対する図１４の第１の嵌合保持器のアセンブリの説明図である。
【図１６】本発明の第２の説明的な実施形態による、アセンブリされた光ファイバーアダプターの説明的な斜視図である。
【発明を実施するための形態】
【００３９】
本開示の例示的な実施形態を以下で添付図面を参照しながら詳細に説明するが、この添付図面では同じ照合番号が同じ要素を示す。しかし、本開示は、様々な異なる形で具体化されてもよく、及び、本明細書で説明されている実施形態に限定されているものと見なされるべきではなく、むしろ、これらの実施形態は、本開示が十分で包括的であるように提供されており、及び、当業者にこの開示の着想を完全に知らせるものである。
【００４０】
以下の詳細な説明では、説明のために、多くの具体的な詳細事項が、開示される実施形態の十全な理解を実現するために説明される。しかし、１つ又は複数の実施形態がこれらの具体的な詳細事項なしに実現されてもよい。他の事例では、公知の構造及び装置が、図面を単純化するために概略的に示されている。
【００４１】
本発明の概括的な着想によって、光ファイバーアダプターが提供され、この光ファイバーアダプターは、嵌合保持器と、この嵌合保持器内に受け入れられるアラインメントスリーブであって、光ファイバーコネクターのフェルールが光ファイバーアダプターの挿入口の中を通してこのアラインメントスリーブの中に挿入されるようになっているアラインメントスリーブと、嵌合保持器に対して相対的に、予め決められた円周角にアラインメントスリーブの円周角を調整するように、且つ、嵌合保持器に対して相対的に、予め決められた円周角にアラインメントスリーブを保持するように構成されている調整要素とを備える。
【００４２】
本発明の別の概括的な着想によって、アラインメントスリーブアセンブリが提供され、このアラインメントスリーブアセンブリは、光ファイバーアダプターの嵌合保持器内に受け入れられるようになっているアラインメントスリーブと、嵌合保持器に対して相対的に、予め決められた円周角にアラインメントスリーブの円周角を調整し、且つ、嵌合保持器に対して相対的に、予め決められた円周角にアラインメントスリーブを保持するように構成されている調整要素とを備える。
【００４３】
第１の実施形態
図１から図１３は、本発明の第１の例示的な実施形態による光ファイバーアダプターを示す。
【００４４】
図１は、本発明の第１の例示的な実施形態による光ファイバーアダプターの説明的な分解組立図である。
【００４５】
図１に示されているように、この図は、ＬＣタイプの光ファイバーアダプターを示す。この光ファイバーアダプターは、主として、ハウジング１００と、嵌合保持器１１０、１２０と、アラインメントスリーブ１３０と、調整要素１４０とを備える。
【００４６】
図１に示されているように、嵌合保持器１１０、１２０は、互いに一体状にアセンブリされることが可能である第１の嵌合保持器１１０と第２の嵌合保持器１２０とを備える。嵌合保持器１１０、１２０は、その中にアラインメントスリーブ１３０を受け入れるように、且つ、結合された光ファイバーコネクター（図示されていない）を所定位置に固定するように構成されている。一方の光ファイバーコネクターのフェルールが、光ファイバーアダプターの挿入口１０１、１０２の中を通ってアラインメントスリーブ１３０の中に挿入されるようになっている。このようにして、光ファイバーコネクターのファイバーコアがアラインメントスリーブ１３０で互いに結合される。
【００４７】
図２は、図１の光ファイバーアダプターの調整要素１４０の説明的な斜視図である。図３は、図１の光ファイバーアダプターのアラインメントスリーブ１３０の説明的な斜視図である。図４は、図３のアラインメントスリーブ１３０に対して図２の調整要素１４０をアセンブリすることによって形成されるアラインメントスリーブアセンブリの説明図である。
【００４８】
図１から図４に示されているように、一実施形態では、調整要素１４０は、嵌合保持器１１０、１２０に対して相対的に、予め決められた円周角にアラインメントスリーブ１３０の円周角を調整するように、且つ、嵌合保持器１１０、１２０に対して相対的に、予め決められた円周角にアラインメントスリーブ１３０を保持するように構成されている。
【００４９】
一実施形態では、アラインメントスリーブ１３０が嵌合保持器１１０、１２０に対して相対的に予め決められた円周角に保持されている時に、１対の光ファイバーコネクターの光ファイバーアダプターのアラインメントスリーブ１３０の中に挿入される光ファイバーのファイバーコアの相互間のアラインメントエラーが最小であり、即ち、挿入損失が最小である。このようにして、嵌合保持器１１０、１２０に対して相対的に、アラインメントスリーブ１３０の円周角を調整し且つ位置決めすることによって、光ファイバーコネクターの挿入損失を最小化することが可能である。
【００５０】
図１から図１３に示されている第１の実施形態では、単一のアラインメントスリーブ１３０だけが嵌合保持器１１０、１２０の中に受け入れられる。アラインメントスリーブ１３０は、結合されるべき１対の光ファイバーコネクターのフェルールを整合させるように構成されている。これによって、図１の光ファイバーアダプターは、同時に１対の光ファイバーコネクターだけを結合させるようになっている。しかし、本発明は、これに限定されない。光ファイバーアダプターは、複数の対の光ファイバーコネクターを同時に結合させるように構成されてもよい。
【００５１】
この後で、図面を参照して、光ファイバーアダプターの構成要素の特徴とアセンブリ動作とを詳細に説明する。
【００５２】
図２から図４に示されているように、一実施形態では、調整要素１４０は、アラインメントスリーブ１３０上にスリーブ状に填められるようになっている。アラインメントスリーブ１３０がアラインメント要素１４０と共に回転させられることが可能であり、且つ、調整要素１４０を回転させることによって嵌合保持器１１０、１２０に対して相対的なアラインメントスリーブ１３０の円周角が調整されるように、半径方向突起１４１が調整要素１４０の内側壁上に形成されており、及び、アラインメントスリーブ１３０の縦スロット１３１の中に挿入されるようになっている。
【００５３】
本発明の例示的な実施形態では、調整要素１４０の半径方向突起１４１は、円周方向におけるアラインメントスリーブ１３０の縦スロット１３１の幅に等しいか又はこの幅
よりもわずかに小さい、円周方向の幅を有する。このようにして、調整要素１４０の半径方向突起１４１がアラインメントスリーブ１３０の縦スロット１３１の中に挿入されると、アラインメントスリーブ１３０は、調整要素１４０に対して相対的に、円周方向に回転させられることが不可能であるか、又は、調整要素１４０に対して相対的に、円周方向に非常に小さい角度範囲内だけを回転させられることが可能であるにすぎず、及び、例えば、±３０度の範囲内、好ましくは±２０度の範囲内、より好ましくは±１０度の範囲内を回転させられることだけが可能である。
【００５４】
図５は、図４のアラインメントスリーブの調整要素１４０の外側表面上に形成されている第１の円周角標識１４２ａの説明図である。
【００５５】
図４と図５に示されているように、一実施形態では、アラインメントスリーブ１３０が嵌合保持器１１０、１２０に取り付けられる前に、アラインメントスリーブ１３０が、調整要素１４０によって、光ファイバーコネクターの挿入損失が最小である最適の円周角に調整される。
【００５６】
図６と図７は、第１の嵌合保持器１１０に対する図５のアラインメントスリーブアセンブリの取り付けの説明図であり、及び、図８と図９は、第２の嵌合保持器１２０に対する図７の第１の嵌合保持器１１０のアセンブリの説明図である。
【００５７】
図５から図９に示されているように、一実施形態では、アラインメントスリーブ１３０が、光ファイバーコネクターの挿入損失が最小である最適の円周角に調整された後に、第１の円周角標識１４２ａが、調整要素１４０の外側表面１４２上に備えられる。この第１の円周角標識１４２ａは、嵌合保持器１１０に対する相対的なアラインメントスリーブ１３０の最適の円周角を識別するために使用される。一実施形態では、アラインメントスリーブ１３０が調整要素１４０によって最適円周角に調整される時に、調整要素１４０の第１の円周角標識１４２ａが、嵌合保持器１１０、１２０上に形成されている第２の円周角標識１１２、１２２に整合させられなければならない。このようにして、図５のアラインメントスリーブアセンブリが嵌合保持器１１０、１２０に取り付けられている間は、調整要素１４０の第１の円周角標識１４２ａが嵌合保持器１１０、１２０の第２の円周角標識１１２、１２２に整合させられている限りは、アラインメントスリーブ１３０が、嵌合保持器１１０に対して相対的に、光ファイバーコネクターの挿入損失が最小である最適の円周角に位置決めされることが確実にされうる。
【００５８】
本発明の例示的な実施形態では、図５から図９に示されているように、調整要素１４０は、例えば、三角形、四角形、五角形、六角形、又は、より多くの端縁を有する任意他の形状を呈する多角形の横断面を有する、多角形角柱として形成されている。別の実施形態では、調整要素１４０は、非限定的に、正多角形の横断面を有してもよい。調整要素１４０の外側輪郭に対応する位置決めスロット１１１、１２１が、嵌合保持器１１０、１２０内に形成されている。調整要素１４０は、嵌合保持器１１０、１２０に対して相対的に、最適の円周角にアラインメントスリーブ１３０を保持するために、嵌合保持器１１０、１２０の位置決めスロット１１１、１２１内に固定されるようになっている。
【００５９】
説明されている実施形態に本発明が限定されないことと、任意の他の適切な方法によって調整要素が嵌合保持器上に固定されてもよいということに留意されたい。例えば、別の実施形態では、調整要素１４０は複数のスプラインキーを有する形に形成されている。嵌合保持器１１０、１２０は、複数のスプラインスロットを有する形に形成されている。調整要素１４０の複数のスプラインキーは、嵌合保持器１１０、１２０に対して相対的に、最適の円周角にアラインメントスリーブ１３０を保持するように、嵌合保持器１１０、１２０の複数のスプラインスロットの中に嵌合させられるようになっている。
【００６０】
図１０は、ハウジング１００に対する図９のアセンブリされた第１及び第２の嵌合保持器１１０、１２０の取り付けの説明図である。
【００６１】
図９と図１０に示されているように、第１及び第２の嵌合保持器１１０、１２０が互いに一体状にアセンブリされた後に、嵌合保持器１１０、１２０の全体がハウジング１００内に取り付けられる。
【００６２】
図１０に示されているように、一実施形態では、光ファイバーアダプターに対して相対的に適正な方向配置の形で、光ファイバーコネクターが光ファイバーアダプターの中に挿入されることを確実なものにするために、光ファイバーコネクター上の滑動ブロック（図示されていない）に嵌合するように構成されている整合スロット１０３が、ハウジング１００内に形成されている。整合スリーブ１３０が調整要素１４０によって最適円周角に調整されて維持される時に、第１の円周角標識１４２ａと第２の円周角標識１１２、１２２とが、ハウジング１００の整合スロット１０３に整合させられる。このようにして、ハウジング１００に嵌合保持器１１０、１２０が取り付けられている間は、第１の円周角標識１４２ａと第２の円周角標識１１２、１２２とがハウジング１００の整合スロット１０３に整合させられている限りは、嵌合保持器１１０、１２０がハウジング１００内に適正に取り付けられていることが確実なものにされうる。
【００６３】
図１１は、ハウジング１００と嵌合保持器１１０、１２０との間のフールプルーフ設置構造を示す。
【００６４】
図１１に示されているように、一実施形態では、ハウジング１００に嵌合保持器１１０、１２０が不適正に取り付けられる（例えば、逆に取り付けられる）ことを防止するように、ハウジング１００と嵌合保持器１１０、１２０との間のフールプルーフ設置構造が設計されている。
【００６５】
図１１に示されているように、一実施形態では、嵌合保持器１１０、１２０の第２の円周角標識１１２、１２２が、嵌合保持器１１０、１２０内に形成されているノッチを備える。嵌合保持器１１０、１２０のノッチに嵌合するように構成されているフールプルーフアセンブリ突起１０６が、ハウジング１００の内側壁上に形成されている。ハウジング１００のフールプルーフアセンブリ突起１０６が嵌合保持器１１０、１２０のノッチに整合させられている時にだけ、嵌合保持器１１０、１２０は、ハウジング１００の中にアセンブリさせられることが可能にされている。言い換えると、ハウジング１００のフールプルーフアセンブリ突起１０６が嵌合保持器１１０、１２０のノッチに整合させられていない場合には、保持器１１０、１２０はハウジング１００の中にアセンブリされることが可能にされない。このようにして、フールプルーフアセンブリ突起１０６は、ハウジング１００に嵌合保持器１１０、１２０が不適正に取り付けられる（例えば、逆に取り付けられる）ことを効果的に防止することができる。
【００６６】
図１と図１０に示されているように、光ファイバーアダプターは、さらに、嵌合保持器１１０、１２０がハウジング１２０から引っ張り出されることを防止するために、ハウジング１００上に取り付けられ且つ嵌合保持器１１０、１２０の管状本体１２３を保持するようになっている固定要素１５０を備える。
【００６７】
一実施形態では、固定要素１５０は、ハウジング１００内に形成されているスロット１０５（図１を参照されたい）を通してハウジング１００の中に挿入される。固定要素１５０の２つの脚部が、ハウジング１００内に形成されている２つの穴１０４の中に挿入される。この結果として、嵌合保持器１１０、１２０の管状本体１２３が固定要素１５０によって締付け固定される。
【００６８】
図１２は、ハウジング１００上の弾性スナップ留め装置１６０の取り付けの説明図であり、及び、図１３は、本発明の第１の例示的な実施形態による、アセンブリされた光ファイバーアダプターの説明的な斜視図である。
【００６９】
図１２と図１３に示されているように、一実施形態では、光ファイバーアダプターは、さらに、ハウジング１００上に取り付けられており且つ固定設置位置に光ファイバーアダプターを固定するように構成されている弾性スナップ留め装置１６０を備える。
【００７０】
図１から図１３に示されている第１の実施形態では、嵌合保持器１１０、１２０は、互いに一体状にアセンブリされることが可能である第１の嵌合保持器１１０と第２の嵌合保持器１２０とを備える。位置決めスロット１１１、１２１は、互いに整合させられており且つそれぞれに第１の嵌合保持器１１０の嵌合端部内と第２の嵌合保持器１２０の嵌合端部内とに形成されている、第１の位置決めスロット１１１と第２の位置決めスロット１２１とを備える。第２の円周角標識１１２、１２２は、第１の嵌合保持器１１０の嵌合端部内と第２の嵌合保持器１２０の嵌合端部内とにそれぞれに形成されている、互いに整合させられている第１のノッチ１１２と第２のノッチ１２２とを備える。
【００７１】
さらに、特定の条件下では、光ファイバーアダプターの中に挿入された光ファイバーコネクターの挿入損失を最小であるように設定することが不要であるが、しかし、アラインメントスリーブ１３０の縦スロット１３１を、嵌合保持器１１０、１２０に対して相対的に、特定の円周角（予め決められた方向配置）に維持することが必要である。この場合には、アラインメントスリーブ１３０を特定の円周角に調整し且つこの特定の円周角に保つために、調整要素１３０を使用することも可能である。
【００７２】
第２の実施形態
図１４から図１６が、本発明の第２の例示的な実施形態による光ファイバーアダプターを示す。
【００７３】
図１４は、本発明の第２の例示的な実施形態による光ファイバーアダプターの説明的な斜視図であり、アラインメントスリーブアセンブリが第１の嵌合保持器２１０に取り付けられている。図１５は、第２の嵌合保持器２２０に対する図１４の第１の嵌合保持器２１０のアセンブリの説明図であり、及び、図１６は、本発明の第２の例示的な実施形態による、アセンブリされた光ファイバーアダプターの説明的な斜視図である。
【００７４】
図１４から図１６に示されているように、第２の実施形態では、光ファイバーアダプターは、複数対の光ファイバーコネクターを同時に結合するようになっている。各対の光ファイバーコネクターのフェルールを整合させるように構成されている複数のアラインメントスリーブ２３０が、嵌合保持器２１０、２２０の中に受け入れられる。
【００７５】
さらに、図１４から図１６に示されている第２の実施形態では、嵌合保持器２１０、２２０が光ファイバーアダプターの本体としての役割を果たし、及び、直接的に外側に露出させられているので、光ファイバーアダプターはハウジングを備えない。
【００７６】
図１４から図１６に示されている第２の実施形態では、嵌合保持器２１０、２２０が、互いに一体状にアセンブリされることが可能である第１の嵌合保持器２１０と第２の嵌合保持器２２０とを備える。嵌合保持器２１０、２２０は、その中にアラインメントスリーブ１３０を受け入れるように、且つ、結合された光ファイバーコネクター（図示されていない）を所定位置に固定するように構成されている。光ファイバーコネクターのフェルールが、光ファイバーアダプターの挿入口２０１、２０２の中を通ってアラインメントスリーブ２３０の中に挿入されるようになっている。このようにして、光ファイバーコネクターのファイバーコアがアラインメントスリーブ２３０内で互いに結合される。
【００７７】
図１４から図１６に示されている第２の実施形態では、調整要素２４０は、嵌合保持器２１０、２２０に対して相対的に、アラインメントスリーブ２３０の円周角を予め決められた円周角に調整するように、且つ、嵌合保持器２１０、２２０に対して相対的に、予め決められた円周角にアラインメントスリーブ２３０を保持するように構成されている。
【００７８】
図１４から図１６に示されている第２の実施形態では、アラインメントスリーブ２３０が、嵌合保持器２１０、２２０に対して相対的に、予め決められた円周角に保持されている時に、１対の光ファイバーコネクターの光ファイバーアダプターのアラインメントスリーブ１３０の中に挿入される光ファイバーのファイバーコアの相互間のアラインメントエラーが最小であり、即ち、挿入損失が最小である。このようにして、嵌合保持器２１０、２２０に対して相対的に、アラインメントスリーブ２３０の円周角を調整し且つ位置決めすることによって、光ファイバーコネクターの挿入損失を最小化することが可能である。
【００７９】
この後に、図面を参照しながら、光ファイバーアダプターの構成要素のアセンブリの特徴と操作とを詳細に説明する。
【００８０】
図１４から図１６に示されている第２の実施形態では、調整要素２４０は、アラインメントスリーブ２３０上にスリーブ状に填められるようになっている。半径方向突起２４１が調整要素２４０の内側壁上に形成されており、及び、アラインメントスリーブ２３０が、アラインメント要素２４０と共に回転させられることが可能であるように、アラインメントスリーブ２３０の縦スロット２３１の中に挿入されるようになっており、及び、嵌合保持器２１０、２２０に対して相対的に、アラインメントスリーブ２３０の円周角が、調整要素２４０を回転させることによって調整されることが可能である。
【００８１】
本発明の例示的な実施形態では、調整要素２４０の半径方向突起２４１は、円周方向におけるアラインメントスリーブ２３０の縦スロット２３１の幅に等しいか又はこの幅よりもわずかに小さい、円周方向の幅を有する。このようにして、調整要素２４０の半径方向突起２４１がアラインメントスリーブ２３０の縦スロット２３１の中に挿入されると、アラインメントスリーブ２３０は、調整要素２４０に対して相対的に、円周方向に回転させられることが不可能であるか、又は、調整要素２４０に対して相対的に、円周方向に非常に小さい角度範囲内でだけ回転させられることが可能であるにすぎず、及び、例えば、±３０度の範囲内、好ましくは±２０度の範囲内、より好ましくは±１０度の範囲内で回転させられることだけが可能である。
【００８２】
図１４から図１６に示されている第２の実施形態では、アラインメントスリーブ２３０が嵌合保持器２１０、２２０に取り付けられる前に、アラインメントスリーブ２３０が、調整要素２４０によって、光ファイバーコネクターの挿入損失が最小である最適の円周角に調整される。
【００８３】
図１４から図１６に示されている第２の実施形態では、アラインメントスリーブ２３０が、光ファイバーコネクターの挿入損失が最小である最適の円周角に調整された後に、第１の円周角標識２４２ａが、調整要素１４０の外側表面２４２上に設けられる。この第１の円周角標識２４２ａは、嵌合保持器２１０に対して相対的に、アラインメントスリーブ２３０の最適の円周角を識別するために使用される。一実施形態では、アラインメントスリーブ２３０が調整要素２４０によって最適円周角に調整される時に、調整要素２４０の第１の円周角標識２４２ａが、嵌合保持器２１０、２２０上に形成されている第２の円周角標識２１２、２２２に整合させられなければならない。このようにして、図１４のアラインメントスリーブアセンブリが嵌合保持器２１０、２２０に取り付けられている間は、調整要素２４０の第１の円周角標識２４２ａが嵌合保持器２１０、２２０の第２の円周角標識２１２、２２２に整合させられている限りは、アラインメントスリーブ２３０が、嵌合保持器２１０、２２０に対して相対的に、光ファイバーコネクターの挿入損失が最小である最適の円周角に位置決めされることが確実なものにされうる。
【００８４】
図１４から図１６に示されている第２の実施形態では、調整要素２４０は、例えば、三角形、四角形、五角形、六角形、又は、より多くの端縁を有する任意の他の形状を呈する多角形の横断面を有する、多角形角柱として形成されている。別の実施形態では、調整要素２４０は、非限定的に、正多角形の横断面を有してもよい。調整要素２４０の外側輪郭に対応する位置決めスロット２１１、２２１が、嵌合保持器２１０、２２０内に形成されている。調整要素２４０は、嵌合保持器２１０、２２０に対して最適円周角にアラインメントスリーブ２３０を保持するために、嵌合保持器２１０、２２０の位置決めスロット２１１、２２１内に固定されるようになっている。
【００８５】
説明されている実施形態に本発明が限定されないことと、任意の他の適切な方法によって調整要素が嵌合保持器上に固定されてもよいということに留意されたい。例えば、別の実施形態では、調整要素２４０は複数のスプラインキーによって形成されている。嵌合保持器２１０、２２０は、複数のスプラインスロットによって形成されている。調整要素２４０の複数のスプラインキーは、嵌合保持器２１０、２２０に対して相対的に、最適の円周角にアラインメントスリーブ２３０を保持するように、嵌合保持器２１０、２２０の複数のスプラインスロットの中に嵌合させられるようになっている。
【００８６】
図１４から図１６に示されている第２の実施形態では、嵌合保持器２１０、２２０の第２の円周角標識２１２、２２２が、嵌合保持器２１０、２２０内に形成されているノッチである。
【００８７】
図１４から図１６に示されている第２の実施形態では、嵌合保持器２１０、２２０は、互いに一体状にアセンブリされることが可能である第１の嵌合保持器２１０と第２の嵌合保持器２２０とを備える。位置決めスロット２１１、２２１は、互いに整合させられており且つそれぞれに第１の嵌合保持器２１０の嵌合端部内と第２の嵌合保持器２２０の嵌合端部内とに形成されている、第１の位置決めスロット２１１と第２の位置決めスロット２２１とを備える。第２の円周角標識２１２、２２２は、第１の嵌合保持器２１０の嵌合端部内と第２の嵌合保持器２２０の嵌合端部内とにそれぞれに形成されている、互いに整合させられている第１のノッチ２１２と第２のノッチ２２２とを備える。
【００８８】
第１の嵌合保持器２１０と第２の嵌合保持器２２０は、スナップ嵌合の形で互いに結合させられている。例示的な一実施形態では、第１の嵌合保持器２１０は、複数の第１の係合突起２５１と複数の係合凹み２５２とを備えており、及び、第２の嵌合保持器２２０は、それぞれに複数の第１の係合凹み２５２に係合させられる複数の係合突起２５３と、それぞれに複数の第１の係合突起２５２に係合させられる複数の第２の係合凹み２５４とを備えている。さらに、第１の嵌合保持器２１０は、少なくとも１つの第１の案内突起２５５と少なくとも１つの第１の案内凹み２５６とを備えており、及び、第２の嵌合保持器２２０は、それぞれに複数の第１の係合凹み２５６に係合させられる少なくとも１つの第２の案内突起と、それぞれに複数の第１の係合突起２５５に係合させられる少なくとも１つの第２の案内凹みとを備えている。
【００８９】
さらに、特定の条件下では、光ファイバーアダプターの中に挿入された光ファイバーコネクターの挿入損失を最小であるように設定することが不要であるが、しかし、アラインメントスリーブ１２３０の縦スロット２３１を、嵌合保持器２１０、２２０に対して相対的に、特定の円周角（予め決められた方向配置）に維持することが必要であるということを理解されたい。この場合には、アラインメントスリーブ２３０を特定の円周角に調整し且つこの特定の円周角に保つために、調整要素２３０を使用することも可能である。
【００９０】
上記実施形態が例示的であって限定的ではないことが意図されているということを当業者によって理解されなければならない。例えば、様々な変更が、当業者によって上記実施形態に対して加えられてもよく、及び、様々な実施形態で説明されている様々な特徴が、構成又は原理において矛盾することなしに、互いに自由に組み合わされてもよい。
【００９１】
幾つかの例示的な実施形態がすでに示され説明されているが、様々な変化又は変更が、本開示の原理と着想とからの逸脱なしに、これらの実施形態に対して加えられてもよく、及び、本開示の範囲が特許請求項とその等価物とによって定義されるということを当業者は理解するだろう。
【００９２】
本明細書で使用される場合に、単数形で示されており且つ単語「１つ（ａ、ａｎ）」が前置されている要素が、こうした複数の要素又は段階を除外することが明示されない限りは、複数のこうした要素又は段階を除外することはないということが理解されなければならない。さらに、本発明の「一実施形態」に対する言及が、説明されている特徴を同様に含む追加的な実施形態の存在を除外するものとして解釈されることは意図されていない。さらに、逆の形で明示的に述べられない場合には、特定の属性を有する要素又は複数の要素を「備える」又は「有する」実施形態が、その属性を持たない追加的なこうした要素を含んでもよい。
【符号の説明】
【００９３】
１００    ハウジング
１１０    嵌合保持器
１１１    位置決めスロット
１１２    第２の円周角標識
１２０    嵌合保持器
１２１    位置決めスロット
１２２    第２の円周角標識
１３０    アラインメントスリーブ
１３１    縦スロット
１４０    調整要素
１４１    半径方向突起
１４２ａ    第１の円周角標識
１５０    固定要素
１６０    弾性スナップ留め装置
【図１】
2018518704.tif 000003
【図２】
2018518704.tif 000004
【図３】
2018518704.tif 000005
【図４】
2018518704.tif 000006
【図５】
2018518704.tif 000007
【図６】
2018518704.tif 000008
【図７】
2018518704.tif 000009
【図８】
2018518704.tif 000010
【図９】
2018518704.tif 000011
【図１０】
2018518704.tif 000012
【図１１】
2018518704.tif 000013
【図１２】
2018518704.tif 000014
【図１３】
2018518704.tif 000015
【図１４】
2018518704.tif 000016
【図１５】
2018518704.tif 000017
【図１６】
2018518704.tif 000018
【国際調査報告】
2018518704.tif 000019
2018518704.tif 000020
2018518704.tif 000021
2018518704.tif 000022